(57)【特許請求の範囲】
【請求項１】
制御信号に応じて映像信号の画質調整を行なう装置において、
周囲の明るさを検出する明るさ検出部と、
この明るさ検出部の検出出力値の変化を判定する明るさ検出出力判定部と、
特定のモードにおいて、前記検出出力値が入力され前記検出出力値の第１の検出出力値が一定時間内に変化した場合は前記画面を前記第１の検出出力値に応じた明るさに調整し、前記検出出力値の前記第１の検出出力値より低い値の第２の検出出力値が前記一定時間継続して変化しない場合、前記画面を明るくする方向へ自動調整する自動調整部を有することを特徴とする映像表示装置。
【請求項２】
前記自動調整部は、装置がデモンストレーションモードに設定されたときに動作状態となることを特徴とする請求項１記載の映像表示装置。
【請求項３】
外部から記憶媒体を装着するためのホルダ部を有し、
前記ホルダに前記デモンストレーション用の記憶媒体が格納されたとき、この記憶媒体の制御情報に基づいて、前記自動調整部の動作機能が設定されていることを特徴とする請求項１記載の映像表示装置。
【請求項４】
前記自動調整部は、前記画面を明るくする場合、最大輝度状態に制御することを特徴とする請求項１記載の映像表示装置。
【請求項５】
前記自動調整部は、外部からの操作信号が入力したときにも前記画面を前記明るさ検出部の検出出力値に応じて調整することを特徴とする請求項１記載の映像表示装置。
【請求項６】
制御部からの制御信号に応じて映像信号の画質調整を行う映像表示制御方法において、
前記制御部では、周囲の明るさを検出する明るさ検出部の検出出力値の変化を判定し、
特定のモードにおいて前記検出出力値が入力され、前記検出出力値の第１の検出出力値が一定時間内に変化した場合は前記画面を前記第１の検出出力値に応じた明るさに調整し、前記検出出力値の前記第１の検出出力値より低い値の第２の検出出力値が前記一定時間継続して変化しない場合、前記画面を明るくする方向へ自動調整する
ことを特徴とする映像表示制御方法。
【発明の詳細な説明】
【技術分野】
【０００１】
この発明は、映像表示装置及び映像表示制御方法に関するものであり、特に店頭販売時に有効な機能を発揮するものである。
【背景技術】
【０００２】
映像表示装置において、販売員に好都合な工夫がなされている。例えば、デモンストレーション用に最適化したモードを持つ装置がある。たとえば特定のカード媒体を装填すると、セットしたタイマーのカウントが所定時間を経過したとき、デモンストレーション用の音声又は映像出力を得るように工夫された装置がある。また明るさ検出センサーを有し、明るさ検出センサーの値が所定値以下になったときタイマーをリセットし、むやみにデモンストレーション表示状態に移行しないようにしている（特許文献１）。
【０００３】
従来のシステムであると、デモンストレーションを行なうか否かの判定処理に重点が置かれている。このために画質調整（画面の明るさ調整）については別途手段を考えなければならない。
【特許文献１】特開２００８−４２８６８号公報
【発明の開示】
【発明が解決しようとする課題】
【０００４】
この発明の目的は、設置場所（例えば店頭）に応じて画面の明るさ調整を自動的に行ない、かつ明るさ検出部の出力も有効に活用して、店員の便宜を一層向上させるようにした映像表示装置及び表示方法を提供することにある。
【課題を解決するための手段】
【０００５】
上記課題を解決するためにこの発明は、制御信号に応じて映像信号の画質調整を行なう装置において、周囲の明るさを検出する明るさ検出部と、この明るさ検出部の検出出力値の変化を判定する明るさ検出出力判定部と、特定のモードにおいて、前記検出出力値が入力され前記検出出力値の第１の検出出力値が一定時間内に変化した場合は前記画面を前記第１の検出出力値に応じた明るさに調整し、前記検出出力値の前記第１の検出出力値より低い値の第２の検出出力値が前記一定時間継続して変化しない場合、前記画面を明るくする方向へ自動調整する自動調整部を有することを特徴とする。
【発明の効果】
【０００６】
上記の手段によると、映像表示装置が店頭に設置された場合、次のような効果を得ることができる。即ち、第１の自動調による動作は、明るさ検出部に値札が貼られているか、または何らかの障害物が置かれているような場合であっても、画面の明るさを店頭用に適した明るさに制御可能となる。また第２の自動調整による動作は、店員が見物人、購入者などに対して明るさ検出部の本来の動作機能を訴求していると判断でき、明るさ検出部の検出出力に応じた明るさの画面に制御可能となる。
【発明を実施するための最良の形態】
【０００７】
以下図面を参照して、この発明の実施の形態を説明する。まずこの発明が適用された放送受信装置について概要を説明する。
【０００８】
図１は、デジタルテレビジョン放送受信装置４１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【０００９】
チューナ４５で選局された放送信号は、ＰＳＫ（Phase Shift Keying）復調器４６に供給されて、デジタルの映像信号及び音声信号に復調された後、信号処理部４７に出力される。
【００１０】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００１１】
チューナ５０で選局された放送信号は、ＯＦＤＭ（Orthogonal Frequency Division Multiplexing）復調器５１に供給されて、デジタルの映像信号及び音声信号に復調された後、信号処理部４７に出力される。
【００１２】
また地上波アナログ信号を受信するアナログチューナ６８も設けられている。アナログチューナ５８で受信された信号は、アナログ復調器５９で復調され信号処理部４７に出力される。
【００１３】
ここで信号処理部４７は、ＰＳＫ復調器４６から供給されたデジタルの映像信号及び音声信号と、ＯＦＤＭ復調器５１から供給されたデジタルの映像信号及び音声信号と、アナログ復調器６９から供給された映像信号及び音声信号と、さらに外部ライン入力端子からの映像信号及び音声信号とに対して、選択的に所定のデジタル信号処理を施し、グラフィック処理部５２及び音声処理部５３に出力している。
【００１４】
このうち、グラフィック処理部５２は、信号処理部４７から供給されるデジタルの映像信号に、ＯＳＤ（On Screen Display）信号生成部５４で生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力をそれぞれ画面の半分を構成するように組み合わせて出力することができる。
【００１５】
グラフィック処理部５２から出力されたデジタルの映像信号は、映像処理部５５に供給される。この映像処理部５５は、入力されたデジタルの映像信号を、映像表示器５７で表示可能なフォーマットのアナログ映像信号に変換し、映像表示器５７に出力して映像表示させる。
【００１６】
上記音声処理部５３は、入力されたデジタルの音声信号を、スピーカ５６で再生可能なフォーマットのアナログ音声信号に変換し、スピーカ５６に出力して音声再生させる。
【００１７】
ここで、このデジタルテレビジョン放送受信装置１１は、上記した各種の受信動作を含むその全ての動作を制御部５６によって統括的に制御されている。
【００１８】
制御部６１は、ＣＰＵ（Central Processing Unit）等を内蔵している。操作部７１からの操作情報を受けたとき、または、リモートコントローラ７２から送出された操作情報を受光部７３を介して受信したとき、制御部６１は、その操作内容が装置に反映されるように各部を統括して制御している。
【００１９】
この場合、制御部６１は、主として、そのＣＰＵが実行する制御プログラムを格納したＲＯＭ（Read Only Memory）６１１と、該ＣＰＵに作業エリアを提供するＲＡＭ（Random Access Memory）６１２と、各種の設定情報及び制御情報等が格納される不揮発性メモリ６１３とを利用している。
【００２０】
制御部６１は、カードＩ／Ｆ（Interface）７５を介して、メモリカード７７が装着可能なカードホルダ７６に接続されている。これによって、制御部６１は、カードホルダ７６に装着されたメモリカード７７と、カードＩ／Ｆ７５を介して情報の送受信を行なうことができる。制御部６１は、図示していないが、さらに別のカードＩ／Ｆを介して、第２のメモリカードが装着可能なカードホルダに接続されてもよい。
【００２１】
制御部６１は、通信Ｉ／Ｆ８１を介して第１のＬＡＮ端子８２に接続されている。これにより、制御部６１は、第１のＬＡＮ端子８２に接続されたＬＡＮ対応のＨＤＤ（ハードディスクドライブ装置）と、通信Ｉ／Ｆ８１を介して情報の送受信を行なうことができる。この場合、制御部６１は、ＤＨＣＰ（Dynamic Host Configuration Protocol）サーバ機能を有し、第１のＬＡＮ端子８２に接続されたＬＡＮ対応のＨＤＤにＩＰ（Internet Protocol）アドレスを割り当てて制御している。制御部６１は、図示していないがさらに別の通信Ｉ／Ｆを介して第２のＬＡＮ端子に接続されてもよい。
【００２２】
制御部６１は、ＵＳＢ Ｉ／Ｆ８３を介してＵＳＢ端子８４に接続されている。これにより、制御部６１は、ＵＳＢ端子８４に接続された各機器と、ＵＳＢ Ｉ／Ｆ８３を介して情報の送受信を行なうことができる。
【００２３】
上記制御部５６は、ｉ．Link（登録商標） Ｉ／Ｆ８５を介してｉ．Link（登録商標）端子８６に接続されている。これにより、制御部６１は、ｉ．Link（登録商標）端子８６に接続された各機器と、ｉ．Link（登録商標）Ｉ／Ｆ８５を介して情報の送受信を行なうことができる。
【００２４】
また上記制御部６１は、ＨＤＭＩ（High Definition Multimedia Interface）規格に合致したＨＤＭＩ Ｉ/Ｆ ８５を介してＨＤＭＩ端子８８に接続された各機器と情報の送受信を行なうことができる。また上記した装置には、周囲の明るさを検出する明るさ検出部としてセンサー９０が設けられていている。
【００２５】
ここで制御部６１は、明るさ検出出力判定部６２１と、第１の自動調整部６２２と、第２の自動調整部６２３を有する。第１と第２の自動調整部６２１、６２２を示したが、これらは一体の自動調整部であり、動作機能の区別が分かりやすいように分けて説明する。
【００２６】
センサー９０からの検出信号が、明るさ検出出力判定部６２１に入力される。明るさ検出出力判定部６２１は、センサー９０からの検出出力値が変化しない状態が一定時間継続しているか否かを判定する。第１の自動調整部６２２は、前記検出出力値が前記一定時間継続して変化しないときは、制御信号を介して画面を明るくする方向へ自動調整する。第２の自動調整部６２３は、前記検出出力値が前記一定期間内で変化したら制御信号を介して前記画面を前記明るさ検出部の検出出力値に応じて調整する。制御信号は映像処理回路５５に与えられている。
【００２７】
上記の明るさ検出出力判定部６２１、第１及び第２の自動調整部６２２、６２３の動作機能は、記録媒体としてのカード７７からの制御情報に基づいて設定されている。つまり、デモンストレーション用の特定のカード７７が装着されると、カードの制御情報が読取られ、上記の明るさ検出出力判定部６２１、第１及び第２の自動調整部６２２、６２３が起動される。カード情報の読み取りはカード情報処理部６２４により読取られて解析される。また制御部６１には動作切換え部６２５が設けられている。動作切換え部６２５は、例えば利用者がリモートコントローラ７２を操作して、画質調整を行った場合を検出し、装置の動作モードを操作対応の動作モードに切換える。またタイマー６２５の計測値に応じて、自動動作モードに切換えることもできる。
【００２８】
図２は、上記リモートコントローラ７２の外観を示している。このリモートコントローラ７２には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ等が設けられている。番組表キー１７ｈを押すと、番組表が表示される。終了キー１７１を押すと、オンエアー（現在受信中のチャンネルの映像の表示）状態に戻る。例えばクイックキー１７ｅを押すと、各種のメニュー画面の表示モードに移行することができる。
【００２９】
図３は、上記した装置の動作例を説明するためのフローチャートである。特定のカード７７が装着されると、店頭用の画質調整機能が立ち上がる。カウンタがスタートする（ステップＳＡ１）。次に外部からの調整操作があるかどうかの判定がなされる（ステップＳＡ２）。外部からの調整操作が無い場合には、センサー９０の出力に変換があったかどうかの判定がなされる（ステップＳＡ３）。この判定は明るさ検出出力判定部６２１が行なう。センサー９０の出力に変化が無ければ、次に、カウンタの計数値から一定時間（例えば数分）が経過しているかどうかを判定する（ステップＳＡ４）。一定時間が経過していない場合には、ステップＳＡ２に戻る。
【００３０】
ステップＳＡ４で一定時間が経過していることが判定された場合、店頭用として画面は最大の明るさに設定される。このときは、明るさ検出部に値札が貼られているか、または何らかの障害物が置かれているような場合であっても、画面の明るさを店頭用に適した明るさに制御可能となる。
【００３１】
次に、ステップＳＡ３においてセンサー９０の出力に変化があると、ステップＳＡ６に移行し、カウンタがリセットされ、通常動作状態に移行する（ステップＳＡ７）。通常動作状態は、センサー９０からの出力に応じて画面の明るさを自動調整する動作である。この機能は、例えば店員が見物人、購入者などにデモンストレーションのために、センサー９０に入射する光をオンオフしたような場合である。この場合は明るさ検出部（センサー９０）の本来の動作機能を訴求していると判断でき、明るさ検出部（センサー９０）の検出出力に応じた明るさの画面に制御可能となる。しかし、この強制手動操作が終了すれば、先のようにセンサー出力の変化があるかどうかの判定モードに移行する。
【００３２】
図４には、上記した動作において、通常動作状態で画面の明るさが調整される状態と、強制最大輝度状態に画面が設定された状態との移行条件を説明するための図である。通常動作状態において、操作が終了して数分が経過すると強制最大輝度状態に移行する。また通常動作状態において、センサー出力に変化が無く数分経過した場合も強制最大輝度状態に移行する。強制最大輝度状態から、調整操作が開始されたとき、或いはセンサー出力が変化したときは、すぐに通常動作状態に移行する。
【００３３】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３４】
【図１】この発明の一実施の形態を示すブロック図である。
【図２】リモートコントローラの例を示す図である。
【図３】この発明の装置の動作例を説明するために示したフローチャートである。
【図４】この発明の装置の動作モードが変化する様子を示す説明図である。
【符号の説明】
【００３５】
４５・・・衛星デジタル放送用のチューナ、４６・・・ＰＳＫ復調器、４７・・・信号処理部、４８・・・地上デジタル放送受信用のアンテナ、５０・・・地上デジタル放送用のチューナ、５１・・・ＯＦＤＭ（Orthogonal Frequency Division Multiplexing）復調器、５２・・・グラフィック処理部、５３・・・音声処理部、５４・・・ＯＳＤ信号生成部、５５・・・映像処理部、６１・・・制御部、６１３・・・不揮発性メモリ、６２１・・・明るさ検出出力判定部、６２２・・・第１の自動調整部、６２３・・・第２の自動調整部、６２４・・・カード情報処理部、６２５・・・動作切換え部。
【図１】
0005248159.tif 000002
【図２】
0005248159.tif 000003
【図３】
0005248159.tif 000004
【図４】
0005248159.tif 000005